(57)【要約】【課題】個人による製品のばらつきがなく、時間短縮ができ、高粘度液を良好な脱泡状態かつ適正な粘度を持つ製品へ調製できる装置および調製方法を提供すること。【解決手段】図２の脱泡状態判断時に、酸素センサーで測定した値を基に脱泡状態が足りない場合はさらに真空脱泡を行う。図２の粘度判断時に、粘度センサーで測定した値を基に粘度が高い場合は加水しさらに脱泡を行う。測定した値を基に粘度が低い場合はさらに脱泡を行う。【選択図】図２
2020171908.tif 000002
【特許請求の範囲】
【請求項１】
高粘度液を調製する装置であって、
製品の脱泡状態が、良好であるかを判断する、酸素センサーを備えていることを特徴とする装置。
【請求項２】
高粘度液を調製する方法であって、
製品の脱泡状態が、良好であるかを判断する、酸素センサーを備えていることを特徴とする調製方法。
【請求項３】
高粘度液を調製する装置であって、
製品の粘度が、適正であるかを判断する、粘度センサーを備えていることを特徴とする装置。
【請求項４】
高粘度液を調製する方法であって、
製品の粘度が、適正であるかを判断する、粘度センサーを備えていることを特徴とする調製方法。
【発明の詳細な説明】
【技術分野】
【０００１】  本発明は、高粘度液自動調製装置および調製方法に関し、具体的にはゼラチン調合液の調製に関する。
【背景技術】
【０００２】  従前の高粘度液（例えばゼラチン調合液）の調製においては、容器内で原材料（例えば水、グリセリン、ゼラチン）を６０℃程度で攪拌し、真空脱泡する。脱泡状態が良好であると判断した場合、設定した粘度値になるまで調製する。
【発明の概要】
【発明が解決しようとする課題】
【０００３】  しかしながら、従前の調製方法においては、以下のような問題点があった。【０００４】  （１）製品の脱泡状態を目視で判断し、脱泡が足りない場合は、さらに真空脱泡を行う。その判断には熟練者が必要であった。そのため、個人による製品のばらつきがある。【０００５】  （２）製品を容器からサンプリングして、粘度計で製品の粘度測定が行われている。設定した粘度値に対して、粘度が高い場合は加水し、粘度が低い場合は脱水を目的として真空脱泡する。粘度は温度に依存するため、サンプリングしてから粘度計での粘度測定までに粘度が変化している可能性があり、正確性に欠ける。【０００６】  また、製品を容器からサンプリングして、粘度計で製品の粘度測定が行うことは、手間がかかる。設定した粘度値に対して、適正でない粘度であった場合には、繰り返しサンプリングを行い、粘度計で製品の粘度測定を行う必要がある。【０００７】  本発明は上記事情に鑑みて成されたものであり、酸素センサーと粘度センサーを備え、高粘度液を良好な脱泡状態かつ適正な粘度を持つ製品へ調製できる装置および調製方法を提供することを目的とする。
【課題を解決するための手段】
【０００８】  本発明は、上記課題を解決するため、以下の手段を採用する。
本発明に係る装置は、製品の脱泡状態が、良好であるかを判断する、酸素センサーを備えていることを特徴とする。【０００９】  また、本発明に係る調製方法は、製品の脱泡状態が、良好であるかを判断する、酸素センサーを備えていることを特徴とする。【００１０】  また、本発明に係る装置は、製品の粘度が、適正であるかを判断する、粘度センサーを備えていることを特徴とする。【００１１】  また、本発明に係る調製方法は、製品の粘度が、適正であるかを判断する、粘度センサーを備えていることを特徴とする。
【発明の効果】
【００１２】  容器に酸素センサーを取付、製造時の酸素量を測定することができるため脱泡状態を把握し、個人による製品の脱泡状態のばらつきがなくなる【００１３】  容器に粘度センサーを取付、製造時の粘度を測定することができるため粘度測定時に粘度が変化している可能性はなくなり、サンプリングを繰り返す必要がなく時間を短縮できる。【００１４】  本発明によれば、個人による製品のばらつきがなく、時間短縮ができ、高粘度液を良好な脱泡状態かつ適正な粘度を持つ製品へ調製できる。
【実施例】
【００１５】  図１は、本発明の高粘度液自動調製装置および調製方法を説明する略図である。図１における高粘度液自動調製装置１について説明する。【００１６】  規定量の水を高粘度液調製タンク２に供給する。秤量機１７で計量し、水ライン用自動バルブ４の開閉で規定量の水を供給する。【００１７】  規定量の原料−Ａを高粘度液調製タンク２に供給する。秤量機１７で計量し、原料−Ａライン用自動バルブ５の開閉で規定量の原料−Ａを供給する。【００１８】  上記の水、原料−Ａを６０℃程度まで加温する。加温は、高粘度液調製タンク２のジャケットに温水を供給する事により行い、攪拌羽根３で攪拌する事により、昇温効率をあげる。温度は高粘度液調製タンク２に取付の温度センサー１６により管理する。【００１９】  あらかじめ計量しておいた規定量の原料−Ｂを高粘度液調製タンク２に供給する。供給は投入口１８より行う。【００２０】  上記同様に６０℃程度に加温し、撹拌羽根３で撹拌するとともに、真空脱泡する。（１）真空脱泡は真空ライン自動バルブ６が解放され、気／液分離タンク７を通り、パッケージ型ドライ真空ポンプ８の運転によりされる。排気はサイレンサー９を介してされる。（２）真空脱泡中に高粘度液調製タンク２の上部に取付のレベルセンサー１０が泡を検知すると、真空ライン用自動バルブ６を閉止し、ベント用自動弁１２が開放され、ベントフィルター１１を介して外気が高粘度液調製タンク２に供給され泡をつぶす。（１）（２）を繰り返し行う【００２１】  一定時間の真空脱泡後、（３）脱泡状態が良好であるかを酸素センサー１５で判断する。（４）良好でない場合、さらに一定時間の真空脱泡を行う。脱泡状態が良好になるまで、（３）（４）を繰り返す。【００２２】  脱泡状態が良好かつ、粘度センサー１４で粘度が設定値の許容範囲であるかを判断する。（５）粘度が設定値の許容範囲を超えて高い場合、加水、攪拌しながら真空脱泡をする。（６）粘度が設定値の許容範囲を超えて低い場合、攪拌しながら真空脱泡し、脱水する。粘度が設定値の許容範囲内になるまで（５）又は（６）を繰り返す。【００２３】  上記記載の通り脱泡状態が良好かつ粘度が設定粘度の許容範囲内になると、排出用自動弁１３が開放され、調合された液が排出される。【００２４】  図２は高粘度液自動調製装置の製造工程フロー図である。脱泡状態は酸素センサーの値で判断をする。図２の脱泡状態判断で、測定した値を基に脱泡状態が足りない場合はさらに真空脱泡を行う。【００２５】  粘度は粘度センサーの値で判断をする。図２の粘度判断で、測定した値を基に粘度が高い場合は加水しさらに脱泡を行う。測定した値を基に粘度が低い場合はさらに脱泡を行う。【００２６】  この発明によれば、個人による製品のばらつきがなく、時間短縮ができ、高粘度液を良好な脱泡状態かつ適正な粘度を持つ製品へ調製できる。
【産業上の利用可能性】
【００２７】  高粘度液を良好な脱泡状態かつ適正な粘度を持つ製品へ調製できるため、製造現場で個人による製品のばらつきがなく、時間短縮ができ、安定した製品を提供できる。
【図面の簡単な説明】
【００２８】
【図１】高粘度液自動調製装置のフロー図である。
【図２】高粘度液自動調製装置の製造工程フロー図である
【符号の説明】
【００２９】  １  高粘度液自動調製装置
２  高粘度液調製タンク
３  攪拌羽根
４  水ライン用自動バルブ
５  原料−Ａライン用自動バルブ
６  真空ライン用自動バルブ
７  気／液分離タンク
８  パッケージ型ドライ真空ポンプ
９  サイレンサー
１０  レベルセンサー
１１  ベントフィルター
１２  ベント用自動弁
１３  排出用自動弁
１４  粘度センサー
１５  酸素センサー
１６  温度センサー
１７  秤量機
１８  投入口
【図１】
2020171908.tif 000003
【図２】
2020171908.tif 000004